(57)【要約】【課題】簡単な動作で装着できる自由度を備え、身体への圧迫による不快感を軽減する肩掛けベルトのずり落ち防止具を提供する。【解決手段】帯状の防止具本体と、防止具本体の一方をショルダーバッグ３の肩掛けベルト４に装着するベルト装着部５と、防止具本体２の他方にバランスウエイト部６とを備え、使用者の一方の肩21に掛けられた肩掛けベルト４にベルト装着部を装着して、使用者の首周りに沿って防止具本体を配置して、使用者の他方の肩22からバランスウエイト部６を吊り下げて、バランスウエイト部６の重量により、防止具本体に一方の肩21から他方の肩22へ張力を付与し、簡単な動作で装着可能な自由度を備えるとともに、使用者の身体への圧迫による不快感を軽減して、肩掛けベルト４のずり落ち防止を行うことができる。【選択図】図４
2013059404.tif 000002
【特許請求の範囲】
【請求項１】
帯状の防止具本体と、前記防止具本体の一方をショルダーバッグの肩掛けベルトに装着するベルト装着部と、前記防止具本体の他方にバランスウエイト部とを備え、
使用者の一方の肩に掛けられた前記肩掛けベルトに前記ベルト装着部を装着して、
使用者の首周りに沿って前記防止具本体を配置して、
使用者の他方の肩から前記バランスウエイト部を吊り下げて、
前記バランスウエイト部の重量により、前記防止具本体に前記一方の肩から前記他方の肩へ張力を付与するものとすることを特徴とする肩掛けベルトのずり落ち防止具。
【請求項２】
前記バランスウエイト部をコイン入れとしたことを特徴とする請求項１記載の肩掛けベルトのずり落ち防止具。
【発明の詳細な説明】
【技術分野】
【０００１】
本発明は、ショルダーバッグの肩掛けベルトのずり落ち防止具に関するものである。
【背景技術】
【０００２】
従来、ショルダーバックの肩掛けベルトは、ずり落ち易いという問題点があり、この肩掛けベルトのずり落ちを防止するために、一方を肩掛けベルトに固定し、他方を使用者の首や脇の下等の身体に直接掛止するずり落ち防止具があった（例えば、特許文献１）。
【先行技術文献】
【特許文献】
【０００３】
【特許文献１】特開２０１１−６２５１６号公報
【発明の開示】
【発明が解決しようとする課題】
【０００４】
従来のずり落ち防止具では、使用者の身体に直接掛止して使用するため、身体への圧迫により、不快感を感じるという問題点があった。
【０００５】
そこで、本願発明は上記した問題点に鑑み、簡単な動作で装着できる自由度を備え、身体への圧迫による不快感を軽減する肩掛けベルトのずり落ち防止具を提供することを目的とする。
【課題を解決するための手段】
【０００６】
請求項１の発明では、帯状の防止具本体と、前記防止具本体の一方をショルダーバッグの肩掛けベルトに装着するベルト装着部と、前記防止具本体の他方にバランスウエイト部とを備え、使用者の一方の肩に掛けられた前記肩掛けベルトに前記ベルト装着部を装着して、使用者の首周りに沿って前記防止具本体を配置して、使用者の他方の肩から前記バランスウエイト部を吊り下げて、前記バランスウエイト部の重量により、前記防止具本体に前記一方の肩から前記他方の肩へ張力を付与するものとすることを特徴とする。
【０００７】
請求項２の発明では、前記バランスウエイト部をコイン入れとしたことを特徴とする。
【発明の効果】
【０００８】
本発明の請求項１記載の発明によれば、簡単な動作で装着可能な自由度を備えるとともに、使用者の身体への圧迫による不快感を軽減して、肩掛けベルトのずり落ち防止を行うことができる。
【０００９】
本発明の請求項２記載の発明によれば、バランスウエイト部をコイン入れとすることで、ずり落ち防止具が収容具として使用可能となるだけでなく、バランスウエイト部内のコインの量を増減することで、容易にバランスウエイト部の重量を調整することが可能となる。
【図面の簡単な説明】
【００１０】
【図１】本発明の肩掛けベルトのずり落ち防止具をショルダーバッグに装着した状態の示す平面図である。
【図２】同上、ベルト装着部を開放した状態を示す肩掛けベルトのずり落ち防止具の平面図である。
【図３】同上、ベルト装着部を閉じた状態を示す肩掛けベルトのずり落ち防止具の平面図である。
【図４】同上、肩掛けベルトずり落ち防止具の使用状態を示す正面図である。
【図５】同上、肩掛けベルトずり落ち防止具の使用状態を示す背面図である。
【図６】同上、肩掛けベルトずり落ち防止具の別の使用状態を示す正面図である。
【図７】同上、肩掛けベルトずり落ち防止具の別の使用状態を示す背面図である。
【図８】同上、肩掛けベルトずり落ち防止具のさらに別の使用状態を示す正面図である。
【図９】同上、肩掛けベルトずり落ち防止具のさらに別の使用状態を示す背面図である。
【発明を実施するための最良の形態】
【００１１】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１２】
図１〜図９は本発明の一実施形態を示しており、肩掛けベルト４のずり落ち防止具１は、帯状の防止具本体２と、前記防止具本体２の一方をショルダーバッグ３の肩掛けベルト４に装着するベルト装着部５と、前記防止具本体２の他方にバランスウエイト部６とを備えている。
【００１３】
防止具本体２は、帯状材料の一端７と他端８を合わせて二つ折りに形成し、一方を一端７と他端８を有する開放部９とし、他方を折り返し部10を備えた閉塞部11としている。また、防止具本体２は、ゴム紐等の伸縮材料を一部或いは全体に用いた伸縮可能な帯状材料としてもよい。
【００１４】
ベルト装着部５は、開放部９の一端７と他端８を第１の着脱手段である第１の面ファスナー12によって着脱可能に備えたものである。
【００１５】
バランスウエイト部６は、閉塞部11の折り返し部10に設けた環状金具13に装着された硬貨やメダル等のコインを収容可能なコイン入れからなり、このコイン入れの蓋体14はスナップボタン15によって、開閉可能に設けられている。
【００１６】
また、防止具本体２の開放部９と閉塞部11の間には、防止具本体２を開放部側環状部16と閉塞部側環状部17に分割し、開放部側環状部16と閉塞部側環状部17の相対的な長さを調整する長さ調整用バックル18が配設されている。
【００１７】
さらに、防止具本体２の閉塞部11には、環状金具13の位置固定用の固定用バックル19が配設されている。
【００１８】
また、閉塞部11は、折り返し部10を除く固定用バックル19付近を第２の着脱手段である第２の面ファスナー20によって開放可能に備えている。
【００１９】
以上の構成の肩掛けベルト４のずり落ち防止具１の使用方法について説明する。まず、第１の面ファスナー12により一端７と他端８を連結して環状に形成した開放部９の開放部側環状部16に、ショルダーバッグ３の肩掛けベルト４を通し、肩掛けベルト４にずり落ち防止具１を装着する。
【００２０】
続いて、ずり落ち防止具１を装着した肩掛けベルト４を使用者の一方の肩21に掛けた状態で、防止具本体２を背面側から使用者の首周りに沿って配置して、図示しない重量物としてのコインが収容されたバランスウエイト部６を備えた閉塞部11を他方の肩22から吊り下げる。
【００２１】
そして、他方の肩22に吊下げられたバランスウエイト部６の重量によって、防止具本体２に一方の肩21から他方の肩22へと張力Ｆ１が付与され、肩掛けベルト４がショルダーバッグ３の重量により一方の肩21に沿ってずり落ちようとするのに対して、ベルト装着部５を介してずり落ち防止具１によって肩掛けベルト４がずり落ちる向きとは反対向きの他方の肩22方向へ引っ張られる。このように、肩掛けベルト４を一方の肩21に沿ってずり落とそうとする力Ｆ２とずり落ち防止具１からの張力Ｆ１とが打ち消し合って、肩掛けベルト４と一方の肩21との間の摩擦力が保持され、肩掛けベルト４のずり落ちが防止される。
【００２２】
また、バランスウエイト部６の重量は、内部のコインの数量を増減することで、容易に変更可能である。
【００２３】
さらに、ショルダーバッグ３をたすき掛けする場合など、ずり落ち防止具１が不要なときには、第１の面ファスナー12を開いて開放部９を開放して、ずり落ち防止具１を肩掛けベルト４から取り外すことができる。
【００２４】
また、閉塞部11は、第２の面ファスナー20を開放することで、環状金具13ごとバランスウエイト部６を着脱可能とし、バランスウエイト部６の交換等を容易にしている。
【００２５】
次に、図６及び図７に基づき、ずり落ち防止具１の別の使用方法について説明すると、予め長さ調整用バックル18により開放部側環状部16を肩幅程度の長さに調整したずり落ち防止具１を、第１の面ファスナー12により一端７と他端８を連結して環状に形成した開放部９の開放部側環状部16に、ショルダーバッグ３の肩掛けベルト４を通し、肩掛けベルト４に装着する。
【００２６】
続いて、ずり落ち防止具１を装着した肩掛けベルト４を使用者の一方の肩21に掛けた状態で、防止具本体２を背面側から使用者の首周りに沿って配置して、閉塞部側環状部17を他方の肩22側の腕に通した状態で他方の肩22に装着する。
【００２７】
このように、ずり落ち防止具１の閉塞部側環状部17が他方の肩22に装着されていることにより、肩掛けベルト４が一方の肩21に沿ってずり落ちようとすると、ずり落ち防止具１を介して他方の肩22に保持されるので、肩掛けベルト４のずり落ちが防止される。
【００２８】
ここで、他方の肩22に装着されている閉塞部側環状部17はバランスウエイト部６の重量により、下方へ引っ張られるため、閉塞部側環状部17による他方の肩22側の脇の下付近の締め付けが緩和され、身体への圧迫による不快感を軽減することができる。また、防止具本体２を伸縮可能とした場合、身体への圧迫による不快感をさらに軽減することができる。
【００２９】
さらに、図８及び図９に基づき、ずり落ち防止具１の別の使用方法について説明すると、予め長さ調整用バックル18により閉塞部側環状部17の長さを使用者がたすき掛けが可能な程度の長さに調整したずり落ち防止具１を、第１の面ファスナー12により一端７と他端８を連結して環状に形成した開放部９の開放部側環状部16に、ショルダーバッグ３の肩掛けベルト４を通し、肩掛けベルト４に装着する。
【００３０】
続いて、ずり落ち防止具１を装着した肩掛けベルト４を使用者の一方の肩21に掛けた状態で、閉塞部側環状部17を一方の肩21からたすき掛けして、ずり落ち防止具１を装着する。
【００３１】
このように、ずり落ち防止具１が一方の肩21からたすき掛けによって装着されていることにより、肩掛けベルト４が一方の肩21に沿ってずり落ちようとすると、ずり落ち防止具１を介して他方の肩22側の体側部23に保持されるので、肩掛けベルト４のずり落ちが防止される。
【００３２】
ここで、他方の肩22側の体側部23に装着されている閉塞部側環状部17はバランスウエイト部６の重量により、下方へ引っ張られるため、閉塞部側環状部17による他方の肩22側の体側部23の締め付けが緩和され、身体への圧迫による不快感を軽減することができる。また、防止具本体２を伸縮可能とした場合、身体への圧迫による不快感をさらに軽減することができる。
【００３３】
以上のように、帯状の防止具本体２と、防止具本体２の一方をショルダーバッグ３の肩掛けベルト４に装着するベルト装着部５と、防止具本体２の他方にバランスウエイト部６とを備え、使用者の一方の肩21に掛けられた肩掛けベルト４にベルト装着部５を装着して、使用者の首周りに沿って防止具本体２を配置して、使用者の他方の肩22からバランスウエイト部６を吊り下げて、バランスウエイト部６の重量により、防止具本体２に一方の肩21から他方の肩22へ張力Ｆ１を付与する。
【００３４】
この場合、ずり落ち防止具１は、簡単な動作で装着可能な自由度を備えるとともに、使用者の身体への圧迫による不快感を軽減して、肩掛けベルト４のずり落ち防止を行うことができる。
【００３５】
また、バランスウエイト部６をコイン入れとすることで、ずり落ち防止具１が収容具として使用可能となるだけでなく、バランスウエイト部６内のコインの量を増減することで、容易にバランスウエイト部６の重量を調整することが可能となる。
【００３６】
実施例上の効果として、防止具本体２を伸縮可能とした場合、防止具本体２が首周りに沿って伸縮することで、首周りへの圧迫などの不快感を軽減することができる。
【００３７】
本発明は、前記実施例に限定されるものではなく、本発明の要旨の範囲内で種々の変形実施が可能である。例えば、第１の着脱手段及び第２の着脱手段はともに、面ファスナーに限定されるのもではなく、スナップボタン等の周知の着脱手段に適宜変更可能である。また、バランスウエイト部６はコイン入れに限定されるものではなく、適度な重量（例えば150グラム程度）を有するコイン以外の収容物を収容する小物入れでもよく、さらに折り返し部10や環状金具13から吊下げ保持可能な携帯電話やスマートフォン等の携帯端末、カメラ、懐中電灯、携帯ラジオ・テレビ、音楽プレイヤー、防犯ブザーやその他の適度な重量を有する携帯品でもよい。さらに、本発明のずり落ち防止具は、ショルダーバッグの肩掛けベルトに限らず、肩掛けベルトによって肩から下げて携行する鞄、ケース、袋等の収納体一般の肩掛けベルトや、肩掛けによって携行する物品の吊り紐にも適用可能である。
【符号の説明】
【００３８】
１  ずり落ち防止具
２  防止具本体
３  ショルダーバッグ
４  肩掛けベルト
５  ベルト装着部
６  バランスウエイト部
【図１】
2013059404.tif 000003
【図２】
2013059404.tif 000004
【図３】
2013059404.tif 000005
【図４】
2013059404.tif 000006
【図５】
2013059404.tif 000007
【図６】
2013059404.tif 000008
【図７】
2013059404.tif 000009
【図８】
2013059404.tif 000010
【図９】
2013059404.tif 000011